(57)【要約】【課題】  イベント性を高め、出席者に対して驚きを与え、他の披露宴との差別化を図り、さらには商品価値を高めることができるようにする。【解決手段】  背景を黒の単一色としその中程に静止画２０又は動画が配置された主映像２１を示す映像情報と、主映像２１に重ねて白色で表示される字幕２２が配置された副映像２３を示す副映像情報と、副映像２３の領域をサブフレームとして指定するサブフレーム範囲情報及び主映像に重ねて表示されるサブフレームの表示を制御するサブフレーム制御情報を含む副映像制御情報と、主映像２１と同期がとられた音声情報とを有し、また静止画２０又は動画の周囲に白から漸次黒に変化するグラデーションを付加し、サブフレーム制御情報には、サブフレームを動的に表示させるための動的制御情報を付加し、映像情報、副映像情報、音声情報はストーリー性を有しているようにする。【選択図】  図２
2005354474.tif 000002
【特許請求の範囲】
【請求項１】
背景を黒の単一色としその中程に静止画又は動画が配置された主映像を示す映像情報と、
前記主映像に重ねて白色で表示される字幕が配置された副映像を示す副映像情報と、
前記副映像の領域をサブフレームとして指定するサブフレーム範囲情報及び前記主映像に重ねて表示される前記サブフレームの表示を制御するサブフレーム制御情報を含む副映像制御情報と、
前記主映像と同期がとられた音声情報とを有し、
前記静止画又は動画の周囲に白から漸次黒に変化するグラデーションが付加され、
前記サブフレーム制御情報には、前記サブフレームを動的に表示させるための動的制御情報が付加され、さらに前記映像情報、副映像情報、音声情報はストーリー性を有している
ことを特徴とする記録媒体。
【請求項２】
前記動的制御情報は、前記主映像に重ねて表示される前記サブフレームの表示位置、表示サイズ及び表示形状のいずれか又は全てを動的に変化させるための情報を有することを特徴とする請求項１に記載の記録媒体。
【請求項３】
前記動的制御情報は、前記副映像に対して、前記サブフレーム範囲情報が指定する矩形領域を変化させることで、前記サブフレーム内における表示内容を動的に変化させるための情報を有する
ことを特徴とする請求項１又は２に記載の記録媒体。
【請求項４】
前記映像情報、副映像情報及び音声情報は、
新郎新婦から列席者に向けた挨拶、メッセージ、結婚宣言、列席者へのお礼を示す内容の第１のパートと、
前記列席者の名前を示す内容の第２のパートと、
前記新郎新婦からの最後のお礼と前記新郎新婦の名前を示す内容の第３のパートとから構成されている
ことを特徴とする請求項１〜３のいずれかに記載の記録媒体。
【請求項５】
前記第２のパートと前記第３のパートとの間に、特別なメッセージや特定の人物の名前を示す内容のパートが含まれることを特徴とする請求項４に記載の記録媒体。
【請求項６】
前記第２のパートには、
前記新郎新婦別に前記列席者の名前を表示する内容、
前記列席者の席順に前記列席者の名前を表示する内容、
５０音順に前記列席者の名前を表示する内容、
媒酌人の名前を表示する内容、
前記新郎新婦の両親の名前を表示する内容のいずれかが含まれる
ことを特徴とする請求項４又は５に記載の記録媒体。
【請求項７】
背景を黒の単一色としその中程に静止画又は動画が配置された主映像を示す映像情報と、
前記主映像に重ねて白色で表示される字幕が配置された副映像を示す副映像情報と、
前記副映像の領域をサブフレームとして指定するサブフレーム範囲情報及び前記主映像に重ねて表示される前記サブフレームの表示を制御するサブフレーム制御情報を含む副映像制御情報と、
前記主映像と同期がとられた音声情報とを有し、
前記静止画又は動画の周囲に白から漸次黒に変化するグラデーションが付加され、
前記サブフレーム制御情報には、前記サブフレームを動的に表示させるための動的制御情報が付加され、さらに前記映像情報、副映像情報、音声情報はストーリー性を有している
ことを特徴とするデータ構造。
【請求項８】
前記動的制御情報は、前記主映像に重ねて表示される前記サブフレームの表示位置、表示サイズ及び表示形状のいずれか又は全てを動的に変化させるための情報を有することを特徴とする請求項７に記載のデータ構造。
【請求項９】
前記動的制御情報は、前記副映像に対して、前記サブフレーム範囲情報が指定する矩形領域を変化させることで、前記サブフレーム内における表示内容を動的に変化させるための情報を有する
ことを特徴とする請求項７又は８に記載のデータ構造。
【請求項１０】
前記映像情報、副映像情報及び音声情報は、
新郎新婦から列席者に向けた挨拶、メッセージ、結婚宣言、列席者へのお礼を示す内容の第１のパートと、
前記列席者の名前を示す内容の第２のパートと、
前記新郎新婦からの最後のお礼と前記新郎新婦の名前を示す内容の第３のパートとから構成されている
ことを特徴とする請求項７〜９のいずれかに記載のデータ構造。
【請求項１１】
前記第２のパートと前記第３のパートとの間に、特別なメッセージや特定の人物の名前を示す内容のパートが含まれることを特徴とする請求項１０に記載のデータ構造。
【請求項１２】
前記第２のパートには、
前記新郎新婦別に前記列席者の名前を表示する内容、
前記列席者の席順に前記列席者の名前を表示する内容、
５０音順に前記列席者の名前を表示する内容、
媒酌人の名前を表示する内容、
前記新郎新婦の両親の名前を表示する内容のいずれかが含まれる
ことを特徴とする請求項１０又は１１に記載のデータ構造。
【請求項１３】
背景を黒の単一色としその中程に静止画又は動画が配置された主映像を示す映像情報を記録する工程と、
前記主映像に重ねて白色で表示される字幕が配置された副映像を示す副映像情報を記録する工程と、
前記副映像の領域をサブフレームとして指定するサブフレーム範囲情報及び前記主映像に重ねて表示される前記サブフレームの表示を制御するサブフレーム制御情報を含む副映像制御情報を記録する工程と、
前記主映像と同期がとられた音声情報を記録する工程とを有し、
前記静止画又は動画の周囲に白から漸次黒に変化するグラデーションが付加され、
前記サブフレーム制御情報には、前記サブフレームを動的に表示させるための動的制御情報が付加され、さらに前記映像情報、副映像情報、音声情報はストーリー性を有している
ことを特徴とする情報記録方法。
【請求項１４】
前記動的制御情報は、前記主映像に重ねて表示される前記サブフレームの表示位置、表示サイズ及び表示形状のいずれか又は全てを動的に変化させるための情報を有することを特徴とする請求項１３に記載の情報記録方法。
【請求項１５】
前記動的制御情報は、前記副映像に対して、前記サブフレーム範囲情報が指定する矩形領域を変化させることで、前記サブフレーム内における表示内容を動的に変化させるための情報を有する
ことを特徴とする請求項１３又は１４に記載の情報記録方法。
【請求項１６】
前記映像情報、副映像情報及び音声情報は、
新郎新婦から列席者に向けた挨拶、メッセージ、結婚宣言、列席者へのお礼を示す内容の第１のパートと、
前記列席者の名前を示す内容の第２のパートと、
前記新郎新婦からの最後のお礼と前記新郎新婦の名前を示す内容の第３のパートとから構成されている
ことを特徴とする請求項１０〜１５のいずれかに記載の情報記録方法。
【請求項１７】
前記第２のパートと前記第３のパートとの間に、特別なメッセージや特定の人物の名前を示す内容のパートが含まれることを特徴とする請求項１６に記載の情報記録方法。
【請求項１８】
前記第２のパートには、
前記新郎新婦別に前記列席者の名前を表示する内容、
前記列席者の席順に前記列席者の名前を表示する内容、
５０音順に前記列席者の名前を表示する内容、
媒酌人の名前を表示する内容、
前記新郎新婦の両親の名前を表示する内容のいずれかが含まれる
ことを特徴とする請求項１６又は１７に記載の情報記録方法。
【発明の詳細な説明】
【技術分野】
【０００１】
本発明は、主映像、副映像、音声、再生制御等の各種情報を記録した高密度光ディスク等の記録媒体に係り、特に、結婚披露宴における演出に最適な記録媒体に関するものである。
【背景技術】
【０００２】
ホテル等で行われる結婚披露宴は、概ね、開宴の挨拶から始まり、媒酌人の紹介、主賓の紹介、ケーキ入刀、乾杯と進んで披露宴の開始となる。そして、出席者のスピーチ、お色直し、祝電の披露等を経て、新郎新婦にスポットをあてたキャンドルサービスとなる。その後、スライド上映や、新郎新婦の同級生、先輩後輩等による校歌披露がある。ここで披露宴は一段落となるが、閉宴の前に、新郎新婦の両親や身内からの挨拶があり、それに先だって両親又は親族に対し新郎新婦から花束贈呈が行われる。
【０００３】
ここで、花束贈呈は、多くの結婚披露宴において最も感動的なシーンである。つまり、新郎新婦の出生から今日までの成長の日々を思い起こし、目立たずに結婚披露宴を見守ってきた両親等の万感たる思いに出席者が同調して共に大きな喜びの感動を共有できるからである。
【０００４】
このように、新郎新婦から両親等に対する花束贈呈は、新郎新婦の感謝の気持ちが込められた象徴的な返礼行為であり、結婚披露宴の演出としても好ましいものである。この場合、花束贈呈のような象徴的な返礼行為とは別に、今日までの感謝の気持ちを新郎新婦から両親等に対し、物理的かつ精神的な性質の記念品として贈ることができれば、新郎新婦も、それを受ける両親等も、その感慨はひとしおとなる。
【０００５】
ちなみに、特許文献１では、音声データ、音楽データ、静止画データ、動画データから選択される少なくとも一種類以上のデータ郡を、光学的記録媒体に編集格納し、結婚披露宴の式の進行のうち両家からの挨拶に先立って、挨拶を行うべき両家関係者に対し、新郎新婦側からその光学的記録媒体を手渡すようにした結婚披露宴の演出方法を提案している。
【特許文献１】特開２００４−６５５２３号公報
【発明の開示】
【発明が解決しようとする課題】
【０００６】
ところが、上述の特許文献１に示されたものでは、音声データ、音楽データ、静止画データ、動画データから選択される少なくとも一種類以上のデータ郡を、単に光学的記録媒体に編集格納したものである。また、少なくとも一種類以上のデータ郡を、光学的記録媒体に編集格納したものを挨拶を行うべき両家関係者に対し手渡すようにしたものである。
【０００７】
そのため、たとえばその光学的記録媒体を披露宴会場で再生し、大型ディスプレイ等によって出席者に映像等を視聴してもらおうとしても、一種類以上のデータ郡を、単に光学的記録媒体に編集格納したものではイベント性に欠けてしまうばかりか、出席者に対して驚きを与えることができず、しかも他の披露宴との差別化を図ることが困難となってしまう。
【０００８】
すなわち、単に静止画又は動画を音声とともに再生するのみでは、新郎新婦の思想や人間性等が披露宴会場内の出席者に対して旨く伝わらないものと容易に予測される。このように、新郎新婦の思想や人間性等が旨く伝わらないと、出席者が新郎新婦への親近感を持ち難くなり、結婚披露宴の盛り上がりに欠けてしまうことになる。
【０００９】
また、単に音声データ、音楽データ、静止画データ、動画データから選択される少なくとも一種類以上のデータ郡を、単に光学的記録媒体に編集格納しただけでは、新郎新婦の思想や人間性等が旨く表現されず、内容にアピール性が持たされないため、商品価値を高めることができない。
【００１０】
解決しようとする問題点は、音声データ、音楽データ、静止画データ、動画データから選択される少なくとも一種類以上のデータ郡を単に編集格納した光学的記録媒体を、たとえば披露宴会場で再生して出席者に映像等を視聴してもらおうとすると、イベント性に欠けてしまうばかりか、出席者に対して驚きを与えることができず、しかも他の披露宴との差別化を図ることが困難となってしまい、さらには内容にアピール性が持たされないため、商品価値を高めることができないという点である。
【課題を解決するための手段】
【００１１】
本発明の記録媒体は、背景を黒の単一色としその中程に静止画又は動画が配置された主映像を示す映像情報と、前記主映像に重ねて白色で表示される字幕が配置された副映像を示す副映像情報と、前記副映像の領域をサブフレームとして指定するサブフレーム範囲情報及び前記主映像に重ねて表示される前記サブフレームの表示を制御するサブフレーム制御情報を含む副映像制御情報と、前記主映像と同期がとられた音声情報とを有し、前記静止画又は動画の周囲に白から漸次黒に変化するグラデーションが付加され、前記サブフレーム制御情報には、前記サブフレームを動的に表示させるための動的制御情報が付加され、さらに前記映像情報、副映像情報、音声情報はストーリー性を有していることを特徴とする。
また、前記動的制御情報は、前記主映像に重ねて表示される前記サブフレームの表示位置、表示サイズ及び表示形状のいずれか又は全てを動的に変化させるための情報を有するようにすることができる。
また、前記動的制御情報は、前記副映像に対して、前記サブフレーム範囲情報が指定する矩形領域を変化させることで、前記サブフレーム内における表示内容を動的に変化させるための情報を有するようにすることができる。
また、前記映像情報、副映像情報及び音声情報は、新郎新婦から列席者に向けた挨拶、メッセージ、結婚宣言、列席者へのお礼を示す内容の第１のパートと、前記列席者の名前を示す内容の第２のパートと、前記新郎新婦からの最後のお礼と前記新郎新婦の名前を示す内容の第３のパートとから構成されているようにすることができる。
また、前記第２のパートと前記第３のパートとの間に、特別なメッセージや特定の人物の名前を示す内容のパートが含まれるようにすることができる。
また、前記第２のパートには、前記新郎新婦別に前記列席者の名前を表示する内容、前記列席者の席順に前記列席者の名前を表示する内容、５０音順に前記列席者の名前を表示する内容、媒酌人の名前を表示する内容、前記新郎新婦の両親の名前を表示する内容のいずれかが含まれるようにすることができる。
本発明のデータ構造は、背景を黒の単一色としその中程に静止画又は動画が配置された主映像を示す映像情報と、前記主映像に重ねて白色で表示される字幕が配置された副映像を示す副映像情報と、前記副映像の領域をサブフレームとして指定するサブフレーム範囲情報及び前記主映像に重ねて表示される前記サブフレームの表示を制御するサブフレーム制御情報を含む副映像制御情報と、前記主映像と同期がとられた音声情報とを有し、前記静止画又は動画の周囲に白から漸次黒に変化するグラデーションが付加され、前記サブフレーム制御情報には、前記サブフレームを動的に表示させるための動的制御情報が付加され、さらに前記映像情報、副映像情報、音声情報はストーリー性を有していることを特徴とする。
また、前記動的制御情報は、前記主映像に重ねて表示される前記サブフレームの表示位置、表示サイズ及び表示形状のいずれか又は全てを動的に変化させるための情報を有するようにすることができる。
また、前記動的制御情報は、前記副映像に対して、前記サブフレーム範囲情報が指定する矩形領域を変化させることで、前記サブフレーム内における表示内容を動的に変化させるための情報を有するようにすることができる。
また、前記映像情報、副映像情報及び音声情報は、新郎新婦から列席者に向けた挨拶、メッセージ、結婚宣言、列席者へのお礼を示す内容の第１のパートと、前記列席者の名前を示す内容の第２のパートと、前記新郎新婦からの最後のお礼と前記新郎新婦の名前を示す内容の第３のパートとから構成されているようにすることができる。
また、前記第２のパートと前記第３のパートとの間に、特別なメッセージや特定の人物の名前を示す内容のパートが含まれるようにすることができる。
また、前記第２のパートには、前記新郎新婦別に前記列席者の名前を表示する内容、前記列席者の席順に前記列席者の名前を表示する内容、５０音順に前記列席者の名前を表示する内容、媒酌人の名前を表示する内容、前記新郎新婦の両親の名前を表示する内容のいずれかが含まれるようにすることができる。
本発明の情報記録方法は、背景を黒の単一色としその中程に静止画又は動画が配置された主映像を示す映像情報を記録する工程と、前記主映像に重ねて白色で表示される字幕が配置された副映像を示す副映像情報を記録する工程と、前記副映像の領域をサブフレームとして指定するサブフレーム範囲情報及び前記主映像に重ねて表示される前記サブフレームの表示を制御するサブフレーム制御情報を含む副映像制御情報を記録する工程と、前記主映像と同期がとられた音声情報を記録する工程とを有し、前記静止画又は動画の周囲に白から漸次黒に変化するグラデーションが付加され、前記サブフレーム制御情報には、前記サブフレームを動的に表示させるための動的制御情報が付加され、さらに前記映像情報、副映像情報、音声情報はストーリー性を有していることを特徴とする。
また、前記動的制御情報は、前記主映像に重ねて表示される前記サブフレームの表示位置、表示サイズ及び表示形状のいずれか又は全てを動的に変化させるための情報を有するようにすることができる。
また、前記動的制御情報は、前記副映像に対して、前記サブフレーム範囲情報が指定する矩形領域を変化させることで、前記サブフレーム内における表示内容を動的に変化させるための情報を有するようにすることができる。
また、前記映像情報、副映像情報及び音声情報は、新郎新婦から列席者に向けた挨拶、メッセージ、結婚宣言、列席者へのお礼を示す内容の第１のパートと、前記列席者の名前を示す内容の第２のパートと、前記新郎新婦からの最後のお礼と前記新郎新婦の名前を示す内容の第３のパートとから構成されているようにすることができる。
また、前記第２のパートと前記第３のパートとの間に、特別なメッセージや特定の人物の名前を示す内容のパートが含まれるようにすることができる。
また、前記第２のパートには、前記新郎新婦別に前記列席者の名前を表示する内容、前記列席者の席順に前記列席者の名前を表示する内容、５０音順に前記列席者の名前を表示する内容、媒酌人の名前を表示する内容、前記新郎新婦の両親の名前を表示する内容のいずれかが含まれるようにすることができる。
【発明の効果】
【００１２】
本発明の記録媒体によれば、背景を黒の単一色としその中程に静止画又は動画が配置された主映像を示す映像情報と、主映像に重ねて白色で表示される字幕が配置された副映像を示す副映像情報と、副映像の領域をサブフレームとして指定するサブフレーム範囲情報及び主映像に重ねて表示されるサブフレームの表示を制御するサブフレーム制御情報を含む副映像制御情報と、主映像と同期がとられた音声情報とを有し、また静止画又は動画の周囲に白から漸次黒に変化するグラデーションを付加し、サブフレーム制御情報には、サブフレームを動的に表示させるための動的制御情報を付加し、さらに映像情報、副映像情報、音声情報はストーリー性を有しているようにしたので、たとえば披露宴会場で再生して出席者に映像等を視聴してもらう際、イベント性が高められるばかりか、出席者に対して驚きを与えることができ、しかも他の披露宴との差別化を図ることができ、さらには内容にアピール性が持たされるため、商品価値を高めることができる。
【発明を実施するための最良の形態】
【００１３】
本発明の記録媒体は、背景を黒の単一色としその中程に静止画又は動画が配置された主映像を示す映像情報と、主映像に重ねて白色で表示される字幕が配置された副映像を示す副映像情報と、副映像の領域をサブフレームとして指定するサブフレーム範囲情報及び主映像に重ねて表示されるサブフレームの表示を制御するサブフレーム制御情報を含む副映像制御情報と、主映像と同期がとられた音声情報とを有し、また静止画又は動画の周囲に白から漸次黒に変化するグラデーションを付加し、サブフレーム制御情報には、サブフレームを動的に表示させるための動的制御情報を付加し、さらに映像情報、副映像情報、音声情報はストーリー性を有しているようにし、たとえば披露宴会場で再生して出席者に映像等を視聴してもらう際、イベント性を高め、出席者に対して驚きを与えるとともに、他の披露宴との差別化を図るようにし、さらには内容にアピール性を持たすことで、商品価値を高めるようにした。
【００１４】
以下、本発明の詳細を図面に基づいて説明する。
図１は、本発明の記録媒体をＤＶＤに適用した場合の一実施の形態を示すものであって、そのＤＶＤの基本構造を説明するための図、図２及び図３は、図１のＤＶＤに記録された映像情報、副映像情報、副映像制御情報、音声情報等を説明するための図、図４は、図１のＤＶＤに対する映像情報、副映像情報、副映像制御情報、音声情報等の記録方法を説明するためのフローチャート、図５は、図１のＤＶＤに記録された映像情報、副映像情報、副映像制御情報、音声情報等のデータ構造を説明するための図である。
【００１５】
図１に示すように、ＤＶＤ１０は、書き込みが複数回又は１回のみ可能な、光磁気方式、相変化方式等の各種記録方式で記録可能とされており、ディスク本体上の記録面に、センターホール１１を中心とし内周から外周に向けて、リードインエリア１２、データエリア１３及びリードアウトエリア１４が設けられている。
【００１６】
そして、各エリアには、たとえばセンターホール１１を中心にスパイラル状或いは同心円状に、グルーブトラック及びランドトラックが交互に設けられている。このグルーブトラックはウォブリングされてもよいし、これらのうち一方又は両方のトラックにプレピットが形成されていてもよい。また、ＤＶＤ１０としては、ＤＶＤ−Ｖｉｄｅｏ、ＤＶＤ−Ｒ、ＤＶＤ−ＲＡＭ等のいずれかを用いるようにしてもよい。
【００１７】
また、そのリードインエリア１２には、ＤＶＤ規格に従って、映像情報、副映像情報、副映像制御情報、音声情報等が記録されるようになっている。ここで、映像情報、副映像情報、副映像制御情報、音声情報等は、特に、結婚披露宴における演出に最適な内容となっているが、その詳細は後述する。
【００１８】
映像情報は、図２に示すように、背景を黒の単一色としその中程に静止画２０が配置された主映像２１を示すものである。なお、静止画２０にあっては、写真、絵、賞状、手紙、文集、その他の書類等であってもよい。また、静止画２０にあっては、モノクロ、セピア等の単一色であってもよく、フルカラーであってもよい。また、映像情報は、静止画２０に限らず、動画であってもよく、さらには静止画２０と動画とを混在させてもよい。また、静止画２０の周囲には、白から漸次黒に変化するグラデーションが付加されている（以下、囲みぼかしという）。囲みぼかしの詳細については、後述する。
【００１９】
また、副映像情報は、図２及び図３に示すように、主映像２１に重ねて白色で表示される字幕２２が配置された副映像２３を示すものである。ここで、図２は、実際の表示状態を示すものであり、図３は、図２を補足説明するものである。
【００２０】
副映像制御情報は、副映像２３の領域をサブフレームとして指定するサブフレーム範囲情報及び主映像２１に重ねて表示されるサブフレームの表示を制御するサブフレーム制御情報を含むものである。音声情報は、主映像２１と同期がとられたものである。
【００２１】
ここで、背景を黒の単一色とすることで、たとえば静止画２０が配置された主映像２１に重ねて白色で表示される字幕２２が上述した副映像制御情報のサブフレーム範囲情報及びサブフレーム制御情報に基づき、順次切り換えて表示されるとき、結婚披露宴の出席者を静止画２０と字幕２２とに集中させることができる。ちなみに、背景を黒以外の色にしたり、トランジッション効果やエフェクト効果等を用いたりすることも考えられるが、いずれも静止画２０及び字幕２２以外に注意が向いてしまい、静止画２０と字幕２２に対する集中力が欠けるおそれがあるため、好ましいとは言えない。
【００２２】
また、字幕２２にあっては、図２及び図３のように、縦書き表示に限らず、横書き表示であってもよいことは勿論である。さらに、字幕２２は、図２及び図３のように、静止画２０の右隣りに限らず、静止画２０の上下又は左に表示されるようにしてもよく、静止画２０のサイズや形状に合わせて適宜、配置することができる。この場合、上述した副映像制御情報のサブフレーム範囲情報及びサブフレーム制御情報を書き換えることで、実現できる。
【００２３】
また、図２に示すように、静止画２０の周囲に白から漸次黒に変化するグラデーションが付加されている、いわゆる囲みぼかしを加えることで、静止画２０が配置された主映像２１に対しやわらかさやほのぼの感を与えることができ、結果として叙情的、幻想的な雰囲気をもたせることができる。しかも、その囲みぼかしにより、黒バックの窓から浮き出てくるような印象を与えることができる。
【００２４】
次に、図２における画面レイアウトについて説明する。
まず、背景を黒の単一色としその中程にたとえば静止画２０を配置し、字幕２２をたとえば下からスクロールされるように表示する。このように、字幕２２をたとえば下からスクロールされるように表示するために、上述した副映像制御情報が用いられる。
【００２５】
ここで、静止画２０は、たとえばモノクロ、セピア等の単一色であってもよく、さらにはフルカラーであってもよい。また、字幕２２にあっては、教科書体や隷書体等のように、読みやすい書体が好ましい。また、字幕２２にあっては、３０〜４５ポイントで表示したイメージを表示させることができる。このように、字幕２２の文字のポイントを大きくすることで、読みやすくなる。
【００２６】
次に、静止画２０の基本的な構成と加工編集について説明する。
まず、静止画２０をたとえば写真としたとき、その写真を複数枚用意し、それぞれの写真を４００ｄｐｉ以上の解像度でスキャンして取り込む。ここで、写真は、新郎新婦の幼少時代から現在に至るまでの間のものがあればよく、２０〜３０枚程度用意する。これは、幼少時代から現在に至るまでの静止画２０を順次切り換えて表示させるようにすることで、ストーリー性を持たせることができるからである。次いで、取り込んだ画像に対し、最大ｐｉｃ単位まで拡大し、その画像のキズ、汚れ、色落ち、日付等を消去する。これにより、静止画２０をより美しく鮮明に表示すことができる。
【００２７】
また、全ての画像に対しては、平均的な色表示を行わせるために、色補正を行う。また、いずれかの画像に対してセピア等の単一色としたい場合は、その画像に対して色加工を施す。なお、絹目写真等のように、表面に凹凸がある場合、上述したように、４００ｄｐｉ以上の解像度でスキャンして取り込んだ後、その取り込んだ画像に対し、最大ｐｉｃ単位まで拡大し、その画像の色の補正やぼかし、さらにはノイズカット等を施す。これにより、他の写真のように、鮮明に表示すことができる。
【００２８】
次いで、上述したようにして加工編集した画像に対し、次にようにしてトリミングやぼかしを加える。すなわち、まずたとえばＮＴＳＣ方式における解像度６４０ｄｐｉ×４８０ｄｐｉ全体を黒とし、その中程に上述のように加工編集した静止画２０を合成して配置する。
【００２９】
この場合、静止画２０のサイズは、縦表示の場合に１４ｃｍ×１６ｃｍ程度とする。また、横表示の場合は、１８ｃｍ×１４ｃｍ程度とする。次いで、その静止画２０の周囲に上述した囲みぼかしを加える。この場合、その静止画２０の外側から内側に向けて、２０ｐｉｃ〜４０ｐｉｃの黒〜透明に漸次変化するようなグラデーション加工を施し、ぼかしを加える。
【００３０】
以上のようにして、加工編集した画像に対し、トリミングやぼかしを加えた後、上述した映像情報、副映像情報、副映像制御情報、音声情報等を、ＤＶＤ規格に従ってＤＶＤ１０に記録する。
【００３１】
この場合、たとえば図４に示すように、背景を黒の単一色としその中程に静止画２０が配置された主映像２１を示す映像情報を記録し（ステップＳ１）、主映像２１に重ねて白色で表示される字幕２２が配置された副映像２３を示す副映像情報を記録し（ステップＳ２）、副映像２３の領域をサブフレームとして指定するサブフレーム範囲情報及び主映像２１に重ねて表示されるサブフレームの表示を制御するサブフレーム制御情報を含む副映像制御情報を記録する（ステップＳ３）。また、音声情報を記録する場合には、主映像２１と同期がとられるようにして記録する（ステップＳ４）。
【００３２】
ここで、サブフレーム制御情報には、サブフレームを動的に表示させるための動的制御情報が付加されるようにすることで、字幕２２をたとえば下からスクロールされるように表示させたりすることが可能となる。この場合、サブフレーム制御情報には、サブフレームを動的に表示させるための動的制御情報が付加されるようにすればよい。
【００３３】
また、字幕２２の内容としては、上述したように、幼少時代から現在に至るまでの静止画２０を順次表示させる場合、それぞれの静止画２０を補足するような内容とすればよい。さらに、動的制御情報には、主映像２１に重ねて表示されるサブフレームの表示位置、表示サイズ及び表示形状のいずれか又は全てを動的に変化させるための情報を付加してもよい。
【００３４】
また、ＤＶＤ１０に記録された各種情報のデータ構造としては、図５に示すように、たとえば上述した映像情報、副映像情報、音声情報、副映像制御情報を有する構成となり、任意の時刻ｔにおいて多重化されるようになっている。
【００３５】
なお、上述した映像情報、副映像情報及び音声情報を結婚披露宴用とする場合、新郎新婦から列席者に向けた挨拶、メッセージ、結婚宣言、列席者へのお礼を示す内容の第１のパートと、列席者の名前を示す内容の第２のパートと、新郎新婦からの最後のお礼と新郎新婦の名前を示す内容の第３のパートとから構成されているようにしてもよい。
【００３６】
また、第２のパートと第３のパートとの間に、特別なメッセージや特定の人物の名前を示す内容のパートが含まれるようにしてもよい。また、第２のパートには、新郎新婦別に列席者の名前を表示する内容、列席者の席順に列席者の名前を表示する内容、５０音順に列席者の名前を表示する内容、媒酌人の名前を表示する内容、新郎新婦の両親の名前を表示する内容のいずれかが含まれるようにしてもよい。
【００３７】
このように、本実施形態では、背景を黒の単一色としその中程に静止画２０又は動画が配置された主映像２１を示す映像情報と、主映像２１に重ねて白色で表示される字幕２２が配置された副映像２３を示す副映像情報と、副映像２３の領域をサブフレームとして指定するサブフレーム範囲情報及び主映像に重ねて表示されるサブフレームの表示を制御するサブフレーム制御情報を含む副映像制御情報と、主映像２１と同期がとられた音声情報とを有し、また静止画２０又は動画の周囲に白から漸次黒に変化するグラデーションを付加し、サブフレーム制御情報には、サブフレームを動的に表示させるための動的制御情報を付加し、さらに映像情報、副映像情報、音声情報はストーリー性を有しているようにしたので、たとえば披露宴会場で再生して出席者に映像等を視聴してもらう際、イベント性が高められるばかりか、出席者に対して驚きを与えることができ、しかも他の披露宴との差別化を図ることができ、さらには内容にアピール性が持たされるため、商品価値を高めることができる。
【００３８】
すなわち、映像情報、副映像情報、音声情報においては、たとえば新郎新婦の幼少時代から現在に至るまでを順次再生するとともに、それぞれの場面毎に、字幕２２によって新郎新婦の思想や人間性等を表現するようにしたので、新郎新婦の思想や人間性等を披露宴会場内の出席者に対して分かり易く伝えることができ、出席者が新郎新婦への親近感を持ち易くなる。その結果、出席者の気持ちが結婚披露宴会場内で再生される映像等に引き込まれるため、結婚披露宴を盛り上げることが可能となる。
【００３９】
しかも、ＤＶＤ１０には、新郎新婦の幼少時代から現在に至るまでのストーリー性を有する映像情報、副映像情報、音声情報が記録されることになり、併せて新郎新婦の思想や人間性等が旨く表現された内容となり、その内容にアピール性が持たされることになることから、商品価値が高められることになる。
【００４０】
なお、本実施形態では、ＤＶＤ１０に上述した映像情報、副映像情報、副映像制御情報、音声情報等が記録される場合について説明したが、この例に限らず、これらの情報を、ＣＤ、ビデオテープ、メモリカード、メモリステック等の他の記録媒体に記録してもよい。また、ＤＶＤ１０としては、上述したように、ＤＶＤ−Ｖｉｄｅｏ、ＤＶＤ−Ｒ、ＤＶＤ−ＲＡＭ等のいずれかを用いるようにしてもよい。
【００４１】
また、これらの映像情報、副映像情報、副映像制御情報、音声情報等は、アナログ方式であってもよいし、デジタル方式であってもよい。ここで、ビデオテープ等に代表されるアナログ方式の場合は、ＶＨＳ方式やベータ方式のいずれであってもよい。また、デジタル方式にあっては、Windows（登録商標）パソコンの動画ファイル形式であるＡＶＩ方式、記録する映像のビットレート（画質）を固定して記録する方式であるＣＢＲ方式、動画ファイルのデータ圧縮形式であるＭＰＥＧ方式、場面毎にビットレート（画質）を変化させて記録する方式であるＶＢＲ方式等を用いることができる。
【産業上の利用可能性】
【００４２】
結婚披露宴に限らず、出産祝、生後男３１日目（女３３日目）での宮詣り、生後１００日又は１２０日目での食初め、生後初めての初節句、３・５・７歳時の七五三、数え年１３歳の十三詣り、入学祝、進学祝、卒業祝、成人祝等において、所定の人物を紹介する場合に極めて有効なものとなる。
また、結婚後２５年目の銀婚式、結婚後５０年目の金婚式、数え年６１歳での還暦の祝、数え年７０歳での古稀の祝、数え年７７歳での喜寿の祝、数え年８８歳での米寿の祝等において、所定の人物を紹介する場合に極めて有効なものとなる。
また、受賞（賞）祝、永年勤続表彰祝、開業（店）祝、新築祝、就任祝等において、所定の人物を紹介する場合に極めて有効なものとなる。
また、葬式、お見合い、面接、自己紹介等において、所定の人物を紹介する場合に極めて有効なものとなる。
【図面の簡単な説明】
【００４３】
【図１】本発明の記録媒体をＤＶＤに適用した場合の一実施の形態を示すものであって、そのＤＶＤの基本構造を説明するための図である。
【図２】図１のＤＶＤに記録された映像情報、副映像情報、副映像制御情報、音声情報等を説明するためのものであって、実際の表示状態を示す図である。
【図３】図１のＤＶＤに記録された映像情報、副映像情報、副映像制御情報、音声情報等を説明するためのものであって、図２を補足説明するための図である。
【図４】図１のＤＶＤに対する映像情報、副映像情報、副映像制御情報、音声情報等の記録方法を説明するためのフローチャートである。
【図５】図１のＤＶＤに記録された映像情報、副映像情報、副映像制御情報、音声情報等のデータ構造を説明するための図である。
【符号の説明】
【００４４】
１０  ＤＶＤ
２０  静止画
２１  主映像
２２  字幕
２３  副映像
【図１】
2005354474.tif 000003
【図２】
2005354474.tif 000004
【図３】
2005354474.tif 000005
【図４】
2005354474.tif 000006
【図５】
2005354474.tif 000007